(57)【要約】      （修正有）【課題】大面積を発光させることができるにも関わらず、薄くて軽く、使い勝手の良い衣料服飾品を提供する。【解決手段】衣料服飾品１は、衣料及び服飾品から選択される衣料服飾品の少なくとも一部に設けられ、発光ダイオード（ＬＥＤ）により発光する発光部１０と、前記ＬＥＤと厚さが１ｍｍ以下の薄型電池との電気的な接続を可能とする電池接続部と、を有することを特徴とする。前記電池接続部に前記薄型電池を接続するのが好ましく、前記薄型電池の配置位置を前記ＬＥＤの裏面とするのが好ましい。【選択図】図１
2015094037.tif 000002
【特許請求の範囲】
【請求項１】
衣料及び服飾品から選択される衣料服飾品の少なくとも一部に設けられ、発光ダイオードにより発光する発光部と、
前記発光ダイオードと厚さが１ｍｍ以下の薄型電池との電気的な接続を可能とする電池接続部と、
を有することを特徴とする衣料服飾品。
【請求項２】
前記電池接続部に前記薄型電池を接続したことを特徴とする請求項１に記載の衣料服飾品。
【請求項３】
前記薄型電池の配置位置を前記発光ダイオードの裏面としたことを特徴とする請求項１又は請求項２に記載の衣料服飾品。
【請求項４】
前記発光ダイオードが、有機発光ダイオードであることを特徴とする請求項１から請求項３のいずれか１項に記載の衣料服飾品。
【請求項５】
前記有機発光ダイオードが、フレキシブル性を有していることを特徴とする請求項１から請求項４のいずれか１項に記載の衣料服飾品。
【請求項６】
前記発光ダイオードの色温度を調節する色温度調節手段を設けたことを特徴とする請求項１から請求項５のいずれか１項に記載の衣料服飾品。
【請求項７】
前記発光部が複数設けられていることを特徴とする請求項１から請求項６のいずれか１項に記載の衣料服飾品。
【請求項８】
前記薄型電池が、フレキシブル性を有していることを特徴とする請求項１から請求項７のいずれか１項に記載の衣料服飾品。
【請求項９】
前記発光部の厚さと、前記薄型電池の厚さと、の合計が、５ｍｍ以下であることを特徴とする請求項１から請求項８のいずれか１項に記載の衣料服飾品。
【請求項１０】
前記薄型電池は、リチウムイオン二次電池であり、
正極の活物質がＭｎを含み、
正極と負極の少なくとも一方の電極の活物質層に柔軟剤を含み、
前記リチウムイオン二次電池の内部の減圧度が１００〜１０００Ｐａであることを特徴とする請求項１から請求項９のいずれか１項に記載の衣料服飾品。
【請求項１１】
前記柔軟剤が、アクリル系重合体及びジエン系重合体であることを特徴とする請求項１０に記載の衣料服飾品。
【請求項１２】
前記薄型電池は、リチウムイオン一次電池であり、
正極の活物質がＭｎを含み、
正極と負極の少なくとも一方の電極の活物質層に柔軟剤を含み、
前記リチウムイオン二次電池の内部の減圧度が１００〜１０００Ｐａであることを特徴とする請求項１から請求項９のいずれか１項に記載の衣料服飾品。
【請求項１３】
前記発光ダイオードと、前記薄型電池と、を貼り合せにより接合することを特徴とする請求項１から請求項１２のいずれか１項に記載の衣料服飾品。
【請求項１４】
前記発光ダイオードの一方の面に前記薄型電池を積層することを特徴とする請求項１から請求項１２のいずれか１項に記載の衣料服飾品。
【発明の詳細な説明】
【技術分野】
【０００１】
本発明は、照明装置が付いた衣料服飾品に関する。
【背景技術】
【０００２】
デザイン性の向上及び夜間や雨天時の視認性、安全性の向上を図るため、照明装置が付いた衣料服飾品が提案されている。そのような衣料服飾品に関する発明が、例えば、特許文献１、２に提案されている。
【０００３】
特許文献１には、被服又は装身具の外部に表示部を取り付ける表示部取付構造であって、表示部の表示は電気を用いて行われるものであり、前記表示部と被服又は装身具との間に隙間を設けたことを特徴とする表示部取付構造が記載されている。この特許文献１には、被服又は装身具の外部に取り付ける表示部、具体的には、有機エレクトロルミセンスパネル（有機ＥＬパネル）が柔軟性を有していることが記載されている。
また、この特許文献１には、表示部と電気的に接続されるバッテリー（電池）は、被服又は装身具にバッテリー収納部を設け、これに収納される旨が記載されている。具体的には、上着の肩の部分にバッテリー収納部を設け、これにバッテリーを収納している。そして、上着の一部に穴をあけ、当該穴を通じて導線にて表示部と電気的に接続されている。
【０００４】
特許文献２には、バックパック、ウエストポーチ、その他の持ち運び可能なバッグ又はジャケット等の服飾品の品目に挙げられるようなウェアラブルアイテムにフレキシブル性を有するケーブル状のエレクトロルミネセンス（ＥＬ）ワイヤーを取り付ける旨が記載されている。
【先行技術文献】
【特許文献】
【０００５】
【特許文献１】特開２００５−１９４６５９号公報
【特許文献２】米国特許出願公開第２００５／００１３１２８号明細書
【発明の概要】
【発明が解決しようとする課題】
【０００６】
特許文献１に記載の発明によれば、有機ＥＬパネルは柔軟性を有しているので、この部分に関しては使い勝手が良いことが予想される。しかしながら、被服又は装身具に設けられたバッテリー収納部にバッテリーを収納しなければならないことから、バッテリーが嵩張り、重くなるという問題があり、総合的にみれば使い勝手が良くないと予想される。
【０００７】
また、特許文献２に記載の発明によれば、フレキシブル性を有するＥＬワイヤーを用いることから、衣料服飾品への対応は容易であるものの、大面積を発光させるのが困難であるという問題と、バッテリーをバックパック内に組み込む必要があることから、特許文献１に記載の発明と同様、バッテリーが嵩張り、重くなるという問題があり、総合的にみれば使い勝手が良くないと予想される。
【０００８】
本発明は前記状況に鑑みてなされたものであり、大面積を発光させることができるにも関わらず、薄くて軽く、使い勝手の良い衣料服飾品を提供することを目的とする。
【課題を解決するための手段】
【０００９】
本発明の課題は以下の手段によって達成される。
〔１〕衣料及び服飾品から選択される衣料服飾品の少なくとも一部に設けられ、発光ダイオードにより発光する発光部と、前記発光ダイオードと厚さが１ｍｍ以下の薄型電池との電気的な接続を可能とする電池接続部と、を有することを特徴とする衣料服飾品。
〔２〕前記電池接続部に前記薄型電池を接続したことを特徴とする前記〔１〕に記載の衣料服飾品。
〔３〕前記薄型電池の配置位置を前記発光ダイオードの裏面としたことを特徴とする前記〔１〕又は〔２〕に記載の衣料服飾品。
〔４〕前記発光ダイオードが、有機発光ダイオードであることを特徴とする前記〔１〕から〔３〕のいずれか１つに記載の衣料服飾品。
〔５〕前記有機発光ダイオードが、フレキシブル性を有していることを特徴とする前記〔１〕から〔４〕のいずれか１つに記載の衣料服飾品。
〔６〕前記発光ダイオードの色温度を調節する色温度調節手段を設けたことを特徴とする前記〔１〕から〔５〕のいずれか１つに記載の衣料服飾品。
〔７〕前記発光部が複数設けられていることを特徴とする前記〔１〕から〔６〕のいずれか１つに記載の衣料服飾品。
〔８〕前記薄型電池が、フレキシブル性を有していることを特徴とする前記〔１〕から〔７〕のいずれか１つに記載の衣料服飾品。
〔９〕前記発光部の厚さと、前記薄型電池の厚さと、の合計が、５ｍｍ以下であることを特徴とする前記〔１〕から〔８〕のいずれか１つに記載の衣料服飾品。
〔１０〕前記薄型電池は、リチウムイオン二次電池であり、正極の活物質がＭｎを含み、正極と負極の少なくとも一方の電極の活物質層に柔軟剤を含み、前記リチウムイオン二次電池の内部の減圧度が１００〜１０００Ｐａであることを特徴とする前記〔１〕から〔９〕のいずれか１つに記載の衣料服飾品。
〔１１〕前記柔軟剤が、アクリル系重合体及びジエン系重合体であることを特徴とする前記〔１０〕に記載の衣料服飾品。
〔１２〕前記薄型電池は、リチウムイオン一次電池であり、正極の活物質がＭｎを含み、正極と負極の少なくとも一方の電極の活物質層に柔軟剤を含み、前記リチウムイオン二次電池の内部の減圧度が１００〜１０００Ｐａであることを特徴とする前記〔１〕から〔９〕のいずれか１つに記載の衣料服飾品。
〔１３〕前記発光ダイオードと、前記薄型電池と、を貼り合せにより接合することを特徴とする前記〔１〕から〔１２〕のいずれか１つに記載の衣料服飾品。
〔１４〕前記発光ダイオードの一方の面に前記薄型電池を積層することを特徴とする前記〔１〕から〔１２〕のいずれか１つに記載の衣料服飾品。
【発明の効果】
【００１０】
本発明によれば、大面積を発光させることができるにも関わらず、薄くて軽く、使い勝手の良い衣料服飾品を提供することができる。
【図面の簡単な説明】
【００１１】
【図１】本発明の一実施形態に係る衣料服飾品の一使用態様を説明する説明図である。
【図２】本発明の一実施形態に係る衣料服飾品の他の使用態様を説明する説明図である。
【図３】本発明の一実施形態に係る衣料服飾品の他の使用態様を説明する説明図である。
【図４】本発明の一実施形態に係る衣料服飾品の他の使用態様を説明する説明図である。
【図５】発光部と、薄型電池と、の構成を説明する説明図である。
【図６】薄型電池の構成を説明する断面図である。
【図７】ＬＥＤと、薄型電池と、を貼り合せにより接合した様子を示した断面図である。
【図８】ＬＥＤの裏面に薄型電池を積層した様子を示した断面図である。
【発明を実施するための形態】
【００１２】
以下、適宜図面を参照して、本発明を実施するための形態（実施形態）について詳細に説明する。なお、以下の説明において、表面とは、後述する発光部の発光面が露出している面をいい、裏面とは、この表面の反対側の面をいう。
【００１３】
（衣料服飾品）
図１から図４に示すように、本発明の一実施形態に係る衣料服飾品１は、当該衣料服飾品１の少なくとも一部に発光ダイオード（Ｌｉｇｈｔ  Ｅｍｉｔｔｉｎｇ  Ｄｉｏｄｅ：ＬＥＤ）により発光する発光部１０を有している。なお、図１は、衣料服飾品１の一使用態様として、警備員等が着用する制服を示しており、図２は、衣料服飾品１の他の使用態様として、ランニング等する際に着用されるランニングウェアを示しており、図３は、衣料服飾品１の他の使用態様として、ランドセルを示しており、図４は、衣料服飾品１の他の使用態様として、バッグを示している。
【００１４】
前記した衣料服飾品１は、衣料及び服飾品から選択される。衣料としては、例えば、作業服、運動服、セーター、カーディガン、ポロシャツ、ティーシャツ、ジャケット、ジャンパー、ベスト、オーバーコート、レインコート、ズボン、ワンピース、ツーピース、スカートなどを挙げることができる。服飾品としては、例えば、ランドセル、ハンドバッグ、書類入れかばん、手さげかばん、肩掛けかばん、トランク、スーツケース、リュックサック等のかばん類や、財布、パス入れ、買い物袋等の袋物などを挙げることができる。
【００１５】
（発光部）
前記したように、また、図５に示すように、発光部１０はＬＥＤ１１により発光する。かかる発光部１０は、図５に示すように、厚さが１ｍｍ以下の薄型電池６０との電気的な接続を可能とする電池接続部１３を有している（電池接続部１３については後述する。）。
【００１６】
ＬＥＤ１１は、二つの電極の間に半導体層（発光層）を有しており、当該発光層にて陰極から注入された電子と、陽極から注入された正孔と、が再結合することで発光する。
本実施形態においては、ＬＥＤ１１として、有機物質に電圧を印加することにより発光する現象を利用した有機発光ダイオード（Ｏｒｇａｎｉｃ  Ｌｉｇｈｔ−Ｅｍｉｔｔｉｎｇ  Ｄｉｏｄｅ：ＯＬＥＤ）を用いるのが好ましい。なお、かかる現象は、有機エレクトロルミネッセンス（Ｏｒｇａｎｉｃ  Ｅｌｅｃｔｒｏ−Ｌｕｍｉｎｅｓｃｅｎｃｅ：有機ＥＬやＯＥＬ）と呼ばれていることから、ＯＬＥＤは有機ＥＬ素子などと呼ばれることもある。
【００１７】
ＯＬＥＤは、発光層が有機化合物を含んで成るＬＥＤであり、有機化合物中に注入された電子と正孔の再結合によって発光する。ＯＬＥＤは、例えば、以下の（１）〜（５）に示す構成にて形成することができる。
【００１８】
（１）基材／陽極／正孔注入層／正孔輸送層／発光層／電子輸送層／陰極
（２）基材／陽極／正孔注入層／正孔輸送層／発光層／電子輸送層／電子注入層／陰極
（３）基材／陽極／正孔注入層／正孔輸送層／発光層／電子輸送層／正孔阻止層／陰極
（４）基材／陽極／正孔注入層／正孔輸送層／発光層／電子輸送層／電子注入層／正孔阻止層／陰極
（５）基材／陽極／正孔注入層／正孔輸送層／電子阻止層／発光層／電子輸送層／電子注入層／正孔阻止層／陰極
【００１９】
なお、前記した各構成においては、陽極から陰極までの各層の構成順序を入れ替えることもできる。例えば、前記（１）の場合、基材／陰極／電子輸送層／発光層／正孔輸送層／正孔注入層／陽極などとすることができる。
前記したそれぞれの層構成の各層の材料には、従来公知の材料を使用することができるが、以下にその具体例を幾つか説明する。
なお、前記構成の陰極の上には、保護フィルムを形成することができる。
また、基材や保護フィルムの内面側に、ガスバリア膜を形成することもできる。
【００２０】
前記構成における基材は、図５に示す基材１２に相当するものであり、かかる基材１２としては、フレキシブル性を有する樹脂フィルムを用いるのが好ましく、透明性又は半透明性を有するものがより好ましい。そのような樹脂フィルムとしては、例えば、ポリエチレンテレフタレート（ＰＥＴ）、ポリエチレンナフタレート（ＰＥＮ）、ポリエチレン、ポリプロピレンなどで形成したものを挙げることができる。なお、本実施形態における基材１２としては、フレキシブル性を有するものであればこれらに限定されることなく用いることができる。
【００２１】
基材１２の厚さは、例えば、９〜３００μｍ程度とするのが好ましく、１０〜１５０μｍ程度とするのがより好ましい。また、前記（１）〜（５）の層構成における基材１２以外の層の厚さは、それぞれ１００ｎｍ〜１μｍ程度とするのが好ましく、２００〜５００ｎｍ程度とするのがより好ましい。発光部１０の厚さと、薄型電池６０の厚さと、の合計は、例えば、５ｍｍ以下とするのが好ましく、０．３〜５ｍｍ程度とするのがより好ましく、０．７〜２ｍｍ程度とするのがさらに好ましい。発光部１０の厚さと、薄型電池６０の厚さと、の合計は１．５ｍｍ以下であるのがさらにより好ましい。これらのようにすると、フレキシブル性をより向上させることができる。
【００２２】
前記構成における発光層は、前記したようにＯＬＥＤとするのが好ましいが、発光ダイオードとして機能するものであればどのようなものでもよく、これに限定されない。例えば、ＧａＮ、ＧａＡｓ、ＩｎＧａＮ、ＡｌＩｎＧａＰ、ＧａＰ、ＳｉＣ、ＺｎＯ、及び一般式がＩｎXＡｌYＧａ1-X-YＮ（０≦Ｘ、０≦Ｙ、Ｘ＋Ｙ≦１）で表わされるＧａＮ系化合物などから選択される一種又は二種以上を併用した発光層を適用することもできる。
【００２３】
発光部１０の輝度は、例えば、１０００ｃｄ／ｍ2以上となるようにするのが好ましい。このようにすると、十分な明るさを得ることができるので、夜間や雨天時の視認性、安全性の向上をより確実に図ることができる。
【００２４】
また、ＬＥＤ１１から発せられる光は、図示しない色温度調節手段により色温度を調節することができるのが好ましい。このようにすると、ユーザの好みの色温度にて発光させることができる。色温度調節手段は従来公知のものを用いることができる。
【００２５】
発光部１０は、例えば、図１、図３及び図４に示すように、複数設けることができる。このようにすると、必要に応じて必要な数だけ発光部１０を設けることが可能なことから、発光時の視認性やデザイン性を向上させることができる。なお、発光部１０の形状は任意に決定することができる。例えば、図４に示すように、発光部１０の形状を複数のハート型とすることができる。このように、発光部１０の形状は任意に決定することができるので、本実施形態に係る衣料服飾品１のデザイン性を向上させることができる。なお、発光部１０の形状は、ＬＥＤ形成時又は形成後に光パターニングを行ったり、形成時に所定形状のマスクを用いたりすることにより、任意に形成することができる。
【００２６】
発光部１０は、衣料服飾品１の素材上に貼り付けたり、取り付けたりして設けることができる。また、衣料服飾品１の素材中に組み込むようにして設けることもできる。衣料服飾品１の素材中に組み込む態様としては、衣料服飾品１が布製品や革製品である場合、例えば、布地や革の一部を切り抜くとともに、発光部１０に縫製を可能とする縫い代を設け、当該縫い代を前記切り抜いた部分に縫い付けることなどを挙げることができる。また、衣料服飾品１の素材中に組み込む態様としては、衣料服飾品１が革製品である場合、例えば、革製品の一部分の厚みを薄く（肉厚寸法を小さく）し、当該一部分に発光部１０を貼り付けることなどを挙げることができる。さらに、衣料服飾品１への発光部１０の貼り付けには、面ファスナーを用いて行うこともできる。
【００２７】
（電池接続部）
図５に示すように、電池接続部１３は、ＬＥＤ１１と、厚さが１ｍｍ以下の薄型電池６０（薄型電池６０の構成等については後述する。）と、の電気的な接続を可能とする。電池接続部１３は、図５及び図６に示すように、薄型電池６０の電池側正極端子６１ａ及び電池側負極端子６６ａと電気的に接続できる装置側正極端子１３ａ及び装置側負極端子１３ｂを有している。この装置側正極端子１３ａ及び装置側負極端子１３ｂはそれぞれ、図６に示すように、ＬＥＤ１１の陽極及び負極（いずれも図６において図示せず）と接続される。
【００２８】
図５に示すように、薄型電池６０の配置位置は、電池接続部１３とともに、発光部１０の裏面、具体的には、ＬＥＤ１１の裏面とするのが好ましい。このようにすると、ＬＥＤ１１と、薄型電池６０と、をコンパクトに設計することが可能になるとともに、配線等を減らすことができる。従って、衣料服飾品１における発光部１０の薄型化を図ることが可能となるだけでなく、断線等を生じ難くすることができるため、製品の信頼性を向上させることができる。
【００２９】
このとき、発光部１０と薄型電池６０は、図７に示すように、貼り合せによって接合するのが好ましい。具体的には、薄型電池６０と発光部１０のそれぞれを封止する封止材７１、７２を接着層７３によって接着している。前記したように、薄型電池６０とＬＥＤ１１は電気的に接続されているので、薄型電池６０によってＬＥＤ１１を駆動させて発光させることができる。また、シート状でフレキシブル性を有している薄型電池６０と、同じくシート状でフレキシブル性を有しているＬＥＤ１１と、を用いているので、発光部１０はフレキシブル性を有したものとなる。このような態様とすると、発光部１０を曲げた状態でも発光させることが可能になる。なお、この場合、接着層７３もフレキシブル性を有するものを用いるのが好ましい。そのような樹脂層７３としては、例えば、３Ｍ（登録商標）ＶＨＢ（登録商標）アクリルフォーム構造用接合テープや３Ｍ（登録商標）透明シリコーン／アクリル両面テープなどを用いることができるが、これらに限定されない。
【００３０】
また、図８に示すように、発光部１０の一方の面（裏面）に薄型電池６０を積層するのも好ましい。具体的には、ＬＥＤ１１（図８において図示せず）の裏面に、当該ＬＥＤ１１と電気的に接続される薄型電池６０を積層し、封止材８１により発光部１０と薄型電池６０を封止する。このような態様によっても、薄型電池６０とＬＥＤ１１は電気的に接続されているので、薄型電池６０によってＬＥＤ１１を駆動させて発光させることができる。また、シート状でフレキシブル性を有している薄型電池６０と、同じくシート状でフレキシブル性を有しているＬＥＤ１１と、を用いれば、発光部１０にフレキシブル性を持たせることができる。このような態様によっても、発光部１０を曲げた状態で発光させることができる。
【００３１】
（薄型電池）
図６に戻って説明を続ける。図６に示すように、薄型電池６０は、厚さＴが１ｍｍ以下、好ましくは０．５ｍｍ以下である。薄型電池６０は、フレキシブル性を有しているのが好ましい。また、薄型電池６０は、リチウムイオン二次電池又はリチウムイオン一次電池であるのが好ましい。
【００３２】
薄型電池６０がリチウムイオン二次電池である場合、図６に示すように、当該リチウムイオン二次電池６０Ａは、正極集電体６１、正極活物質層６２、電解質層６３、セパレータ６４、電解質層６３、負極活物質層６５、負極集電体６６の各層が積層されて、周囲が封止材６７で封止されて構成されている。また、正極集電体６１には電池側正極端子６１ａが接続され、負極集電体６６には電池側負極端子６６ａが接続されている。電池側正極端子６１ａ及び電池側負極端子６６ａは、封止材６７の外部に延びて形成されている。そして、電池側正極端子６１ａは、電池接続部１３の装置側正極端子１３ａと接続され、電池側負極端子６６ａは、電池接続部１３の装置側負極端子１３ｂと接続されている。
【００３３】
正極集電体６１には、Ａｌなどの従来公知の正極集電体用の材料を使用することができる。
正極活物質層６２には、Ｍｎを含有する正極活物質とバインダと添加剤などを使用する。正極活物質層６２の添加物としては、例えば、導電剤であるアセチレンブラックなどを使用することができる。
電解質層６３には、ＬｉＰＦ6等の電解質を使用することができる。
セパレータ６４には、例えば、ポリプロピレンやポリエチレンなどのポリオレフィンを使用することができる。
負極活物質層６５には、従来公知の負極活物質の材料、例えば、グラファイトとバインダと添加物などを使用する。負極活物質層６５の添加物としては、例えば、増粘剤であるカルボキシメチルセルロース（ＣＭＣ）を使用することができる。
負極集電体６６には、Ｃｕなどの従来公知の負極集電体用の材料を使用することができる。
封止材６７には、多層ＡｌとＰＥＴ（ポリエチレンテレフタレート）フィルムなどの従来公知の封止材の材料を使用することができる。
【００３４】
正極活物質層６２の正極活物質に使用する、Ｍｎを含有する正極活物質としては、例えば、Ｌｉ（Ｍｎ，Ｃｏ，Ｎｉ）Ｏ2、ＬｉＭｎＯ2、Ｌｉ（Ｌｉ，Ｍｎ）1-xＣｏxＯ2やＬｉ2ＭｎＯ3が挙げられる。より好ましくは、Ｌｉ（Ｍｎ，Ｃｏ，Ｎｉ）Ｏ2やＬｉＭｎＯ2などのリチウム過剰のＭｎ酸化物を正極活物質に使用する。Ｍｎを含有する正極活物質を用いることで、正極を高容量とすることができる。
なお、正極活物質として、Ｌｉ（Ｍｎ，Ｃｏ，Ｎｉ）Ｏ2やＬｉＭｎＯ2を用いると、理論容量は１５０ｍＡｈ／ｇ程度となる。また、正極活物質として、リチウムが過剰のＭｎ酸化物であるＬｉ（Ｌｉ，Ｍｎ）1-xＣｏxＯ2やＬｉ2ＭｎＯ3を用いると、理論容量は２５０〜４００ｍＡｈ／ｇ程度にまで向上する。
【００３５】
封止材６７の内部のパッケージ減圧度は、１００〜１０００Ｐａとするのが好ましい。パッケージ減圧度をこのような範囲とすることにより、二次電池を曲げることが可能となる。なお、封止材６７の内部のパッケージ減圧度は、２００〜８００Ｐａとするのがより好ましく、５００Ｐａとするのがさらに好ましい。
【００３６】
より好ましくは、正極活物質層６２及び負極活物質層６５のうちの少なくとも一方に、アクリル系重合体やジエン系重合体を使用したバインダ（柔軟剤）を含有させる。アクリル系重合体やジエン系重合体を使用すると、高い柔軟性を得ることができる。柔軟剤の含有量は、例えば、３０質量％などとすると好ましいが、これに限定されない。
【００３７】
以上に説明した薄型電池６０（リチウムイオン二次電池６０Ａ）は、正極活物質層６２の正極活物質にＭｎを含有し、封止材６７の内部のパッケージ減圧度が１００〜１０００Ｐａであり、正極活物質層６２及び負極活物質層６５にバインダー（柔軟剤）を含有しているため、高い容量と、十分なフレキシブル性を有している。
【００３８】
以上に説明した薄型電池６０（リチウムイオン二次電池６０Ａ）は、太陽電池シート等のように、光が照射されることで電源となる電子材料のシートと組み合わせて用いることが可能である。このような構成とした場合には、光が照射されて発生した電気エネルギーを、薄型電池６０（特にリチウムイオン二次電池６０Ａ）に蓄積することが可能になる。
【００３９】
他方、薄型電池がリチウムイオン一次電池である場合、負極活物質の材料をＬｉとする以外は、前記した二次電池と同様の構成とすることにより具現することができる。
【００４０】
以上に説明したように、本発明によれば、発光ダイオードにより発光する発光部と、厚さが１ｍｍ以下の薄型電池を用いているので、大面積を発光させることができるにも関わらず、薄くて軽く、使い勝手の良い衣料服飾品を提供することができる。また、本発明によれば、衣料服飾品と発光部を組み合わせることによって、デザイン性の向上及び夜間や雨天時の視認性、安全性を向上させることができる。
【符号の説明】
【００４１】
１      衣料服飾品
１０    発光部
１１    発光ダイオード（ＬＥＤ）
１３    電池接続部
６０    薄型電池
【図１】
2015094037.tif 000003
【図２】
2015094037.tif 000004
【図３】
2015094037.tif 000005
【図４】
2015094037.tif 000006
【図５】
2015094037.tif 000007
【図６】
2015094037.tif 000008
【図７】
2015094037.tif 000009
【図８】
2015094037.tif 000010